(57)【要約】【課題】コンバインドサイクルプラントのプラント効率を高める。【解決手段】制御装置は、コンバインドサイクルプラントに、第一運転区間と第二運転区間と第三運転区間とを実行させる。第一運転区間では、助燃装置３７を駆動せずに第一ガスタービンユニットＵａ及び蒸気タービン４０を駆動する。制御装置は、第一運転区間での最大出力以上の要求出力を受けた場合、第一ガスタービンユニットＵａ、助燃装置３７及び蒸気タービン４０を駆動する第二運転区間をプラントに実行させる。制御装置は、第二運転区間での最大出力以上の要求出力を受けた場合、助燃装置３７を駆動せずに、第一ガスタービンユニットＵａ、第二ガスタービンユニットＵｂ及び蒸気タービン４０を駆動する第三運転区間をプラントに実行させる。【選択図】図１
2020079564.tif 000002
【特許請求の範囲】
【請求項１】
第一ガスタービン、及びその排気ガスの熱を用いて蒸気を発生させる第一排熱回収蒸気発生器を有する第一ガスタービンユニットと、
前記第一排熱回収蒸気発生器から発生した蒸気で駆動される蒸気タービンと、
前記第一排熱回収蒸気発生器の蒸気発生器枠内で燃料を燃焼させて発生蒸気量を増加させることで前記蒸気タービンの出力を増加させる助燃装置と、
第二ガスタービン、及びその排気ガスの熱を用いて蒸気を発生させる第二排熱回収蒸気発生器を有する第二ガスタービンユニットと、
を備えるコンバインドサイクルプラントの運転方法であって、
前記助燃装置を駆動せずに前記第一ガスタービンユニットを駆動する、叉は前記助燃装置を駆動せずに前記第一ガスタービンユニット及び前記蒸気タービンを駆動する第一運転区間と、
前記第一運転区間での最大出力以上の要求出力を受けた場合は、前記第一ガスタービンユニット、前記助燃装置及び前記蒸気タービンを駆動する第二運転区間と、
前記第二運転区間での最大出力以上の要求出力を受けた場合は、前記助燃装置を駆動せずに、前記第一ガスタービンユニット、第二ガスタービンユニット及び前記蒸気タービンを駆動する第三運転区間と、
を実行するコンバインドサイクルプラントの運転方法。
【請求項２】
請求項１に記載のコンバインドサイクルプラントの運転方法において、
前記第一運転区間での最大出力以上の要求出力を受けた場合、前記助燃装置を駆動せずに、前記第一ガスタービンユニット、第二ガスタービンユニット及び前記蒸気タービンを駆動する代替第二運転区間の実行と、前記第二運転区間の実行とのうち、いずれか一方を選択可能とする、
コンバインドサイクルプラントの運転方法。
【請求項３】
請求項２に記載のコンバインドサイクルプラントの運転方法において、
前記第一運転区間での最大出力以上の要求出力を受けた場合、前記代替第二運転区間と、前記第二運転区間とのうち、いずれか一方を実行可能である旨を表示する、
コンバインドサイクルプラントの運転方法。
【請求項４】
請求項３に記載のコンバインドサイクルプラントの運転方法において、
前記代替第二運転区間の実行時におけるプラント効率と、前記第二運転区間の実行時におけるプラント効率と、を表示する、
コンバインドサイクルプラントの運転方法。
【請求項５】
第一ガスタービン、及びその排気ガスの熱を用いて蒸気を発生させる第一排熱回収蒸気発生器を有する第一ガスタービンユニットと、
前記第一排熱回収蒸気発生器から発生した蒸気で駆動される蒸気タービンと、
前記第一排熱回収蒸気発生器の蒸気発生器枠内で燃料を燃焼させて発生蒸気量を増加させることで前記蒸気タービンの出力を増加させる助燃装置と、
第二ガスタービン、及びその排気ガスの熱を用いて蒸気を発生させる第二排熱回収蒸気発生器を有する第二ガスタービンユニットと、
を備えるコンバインドサイクルプラントの制御装置であって、
前記助燃装置を駆動せずに前記第一ガスタービンユニットを駆動する、叉は前記助燃装置を駆動せずに前記第一ガスタービンユニット及び前記蒸気タービンを駆動する第一運転区間と、
前記第一運転区間での最大出力以上の要求出力を受けた場合は、前記第一ガスタービンユニット、前記助燃装置及び前記蒸気タービンを駆動する第二運転区間と、
前記第二運転区間での最大出力以上の要求出力を受けた場合は、前記助燃装置を駆動せずに、前記第一ガスタービンユニット、第二ガスタービンユニット及び前記蒸気タービンを駆動する第三運転区間と、
を実行可能に、前記第一ガスタービンユニット、前記蒸気タービン、前記助燃装置、及び前記第二ガスタービンユニットを制御する制御部を備える、
コンバインドサイクルプラントの制御装置。
【請求項６】
請求項５に記載のコンバインドサイクルプラントの制御装置において、
前記第一運転区間での最大出力以上の要求出力を受けた場合、前記助燃装置を駆動せずに、前記第一ガスタービンユニット、第二ガスタービンユニット及び前記蒸気タービンを駆動する代替第二運転区間と、前記第二運転区間とのうち、いずれか一方の選択を受け付けて、受け付けた運転区間を前記制御部により実行させる受付部を有する、
コンバインドサイクルプラントの制御装置。
【請求項７】
請求項６に記載のコンバインドサイクルプラントの制御装置において、
前記第一運転区間での最大出力以上の要求出力を受けた場合、前記代替第二運転区間と、前記第二運転区間とのうち、いずれか一方を実行可能である旨を表示する表示部を有する、
コンバインドサイクルプラントの制御装置。
【請求項８】
請求項７に記載のコンバインドサイクルプラントの制御装置において、
前記表示部は、前記代替第二運転区間の実行時におけるプラント効率と、前記第二運転区間の実行時におけるプラント効率と、を表示する、
コンバインドサイクルプラントの制御装置。
【請求項９】
請求項５から８のいずれか一項に記載のコンバインドサイクルプラントの制御装置と、
前記第一ガスタービンユニットと、
前記蒸気タービンと、
前記助燃装置と、
前記第二ガスタービンユニットと、
を備えるコンバインドサイクルプラント。
【発明の詳細な説明】
【技術分野】
【０００１】
本発明は、ガスタービン（以下、ＧＴと称することがある）と、ＧＴからの排気ガスで蒸気を発生させる排熱回収蒸気発生器（以下、ＨＲＳＧと称することがある）と、ＨＲＳＧで発生した蒸気で駆動する蒸気タービンと、を備えるコンバインドサイクルプラント、その制御装置、及びその運転方法に関する。
【背景技術】
【０００２】
コンバインドサイクルプラントとして、例えば、以下の特許文献１に記載されているように、ＨＲＳＧの蒸気発生器枠内に、燃料を噴射して、この蒸気発生器枠内で燃料を燃焼させる助燃バーナ（ダクトバーナと呼ばれることもある）を備えているプラントがある。
【０００３】
特許文献１に記載の技術では、ＨＲＳＧから蒸気タービンに供給される蒸気の流量の変動を抑えるために、一時的に助燃バーナに燃料を送る技術が開示されている。
【先行技術文献】
【特許文献】
【０００４】
【特許文献１】特開平０７-０８３００５号公報
【発明の概要】
【発明が解決しようとする課題】
【０００５】
コンバインドサイクルプラントでは、プラント効率の向上が求められる。
【０００６】
そこで、本発明は、プラント効率を高めることができるコンバインドサイクルプラント、その制御装置、その運転方法を提供することを目的とする。
【課題を解決するための手段】
【０００７】
上記目的を達成するための発明に係る一態様としてのコンバインドサイクルプラントの運転方法は、以下のコンバインドサイクルプラントの運転方法である。
このコンバインドサイクルプラントは、第一ガスタービンユニットと、蒸気タービンと、助燃装置と、第二ガスタービンユニットと、を備える。前記第一ガスタービンユニットは、第一ガスタービン、及びその排気ガスの熱を用いて蒸気を発生させる第一排熱回収蒸気発生器を有する。前記蒸気タービンは、前記第一排熱回収蒸気発生器から発生した蒸気で駆動される。前記助燃装置は、前記第一排熱回収蒸気発生器の蒸気発生器枠内で燃料を燃焼させて発生蒸気量を増加させることで前記蒸気タービンの出力を増加させる。前記第二ガスタービンユニットは、第二ガスタービン、及びその排気ガスの熱を用いて蒸気を発生させる第二排熱回収蒸気発生器を有する。
このコンバインドサイクルプラントの運転方法では、前記助燃装置を駆動せずに前記第一ガスタービンユニットを駆動する、叉は前記助燃装置を駆動せずに前記第一ガスタービンユニット及び前記蒸気タービンを駆動する第一運転区間と、前記第一運転区間での最大出力以上の要求出力を受けた場合は、前記第一ガスタービンユニット、前記助燃装置及び前記蒸気タービンを駆動する第二運転区間と、前記第二運転区間での最大出力以上の要求出力を受けた場合は、前記助燃装置を駆動せずに、前記第一ガスタービンユニット、第二ガスタービンユニット及び前記蒸気タービンを駆動する第三運転区間と、を実行する。
【０００８】
第二運転区間では、第一ガスタービンの出力が、このガスタービンの最大出力のときでも、このガスタービンの駆動に寄与しない助燃燃料を噴射する。このため、第二運転区間では、プラント出力が、一基のガスタービンの効率よりも多少低くなる。
【０００９】
ここで、前記助燃装置を駆動せずに、前記第一ガスタービンユニット、第二ガスタービンユニット及び前記蒸気タービンを駆動する運転区間であって、第二運転区間に対して、この第二運転区間でのプラント出力が同じになる運転区間を代替第二運転区間とする。この代替第二運転区間では、２基のガスタービンユニットにおける各ガスタービンの出力が、ガスービンの最大出力のほぼ１／２になる。このため、代替第二運転区間では、プラント効率が大幅に低くなる。よって、第二運転区間でのプラント効率は、代替第二運転区間のプラント効率よりも高くなる。
【００１０】
本態様では、第二運転区間を実行し得る。よって、本態様では、プラント効率を高めることができる。
【００１１】
ここで、前記一態様のコンバインドサイクルプラントの運転方法において、前記第一運転区間での最大出力以上の要求出力を受けた場合、前記助燃装置を駆動せずに、前記第一ガスタービンユニット、第二ガスタービンユニット及び前記蒸気タービンを駆動する代替第二運転区間の実行と、前記第二運転区間の実行とのうち、いずれか一方を選択可能としてもよい。
【００１２】
制御装置が、外部から第二運転区間を実行可能な特定範囲の要求出力を受け付けた後、短時間のうちに、この特定範囲の要求出力よりも大きい要求出力を受けることが想定される場合がある。この場合、制御装置が特定範囲の要求出力を受け付けた時点で、一基のガスタービンユニットによる第二運転区間を実行するよりも、二基のガスタービンユニットによる代替第二運転区間を実行する方が、特定範囲の要求出力よりも大きい要求出力を受けた後に、この要求出力を満たすまでの時間を短くすることができる。
【００１３】
そこで、本態様では、制御装置が外部から第二運転区間を実行可能な特定範囲の要求出力を受け付けた場合でも、第二運転区間の実行と代替第二運転区間の実行とのうち、いずれか一方を選択可能にしている。
【００１４】
また、前記代替第二運転区間を実行し得る前記態様のコンバインドサイクルプラントの運転方法において、前記第一運転区間での最大出力以上の要求出力を受けた場合、前記代替第二運転区間と、前記第二運転区間とのうち、いずれか一方を実行可能である旨を表示してもよい。
【００１５】
また、二種類の運転区間のうちの一方を実行可能である旨を表示する前記態様のコンバインドサイクルプラントの運転方法において、前記代替第二運転区間の実行時におけるプラント効率と、前記第二運転区間の実行時におけるプラント効率と、を表示してもよい。
【００１６】
本態様では、代替第二運転区間と第二運転区間とのうち、一方の運転区間の実行可能である旨と、代替第二運転区間を実行したときのプラント効率及び第二運転区間を実行したときのプラント効率と、を表示する。このため、オペレータは、代替第二運転区間と第二運転区間とのうち、プラント効率の観点から、一方の運転区間の実行を容易に選択することができる。
【００１７】
上記目的を達成するための発明に係る他の態様としてのコンバインドプラントの運転方法は、以下のコンバインドサイクルプラントに適用する運転方法である。
このコンバインドサイクルプラントは、一基のガスタービンと、前記ガスタービンからの排気ガスの熱を利用して蒸気を発生する一基の排熱回収蒸気発生器とを有する、複数のガスタービンユニットと、複数の前記ガスタービンユニット毎の前記排熱回収蒸気発生器からの蒸気で駆動可能な一基以上の蒸気タービンと、を備える。前記ガスタービンは、燃料を燃焼する燃焼器と、前記燃焼器に供給する燃料の流量を調節する主燃料弁と、を有する。前記排熱回収蒸気発生器は、前記排気ガスが内部を通る枠と、前記枠内に燃料を噴射して、前記枠内で燃料を燃焼させる助燃バーナと、前記助燃バーナに供給する燃料の流量を調節する助燃燃料弁と、を有する。
このコンバインドサイクルプラントの運転方法は、外部から前記コンバインドサイクルプラントに対する要求出力を受け付ける要求出力受付工程と、前記コンバインドサイクルプラントの運転形態を定める運転形態設定工程と、前記運転形態と前記要求出力に応じて、複数の前記ガスタービンユニット毎の前記主燃料弁の開度及び前記助燃燃料弁の開度を定めて、複数の前記ガスタービンユニット毎の前記主燃料弁に開度を指示すると共に前記助燃燃料弁の開度を指示する弁制御工程と、を実行する。前記運転形態設定工程では、複数の前記ガスタービンユニットのうち、複数の前記ガスタービンユニットのいずれかの前記燃焼器に燃料を送り、複数の前記ガスタービンユニットのいずれの前記助燃バーナにも燃料を送らない標準運転形態と、複数の前記ガスタービンユニットのいずれかの前記燃焼器に燃料を送り、前記燃焼器に燃料を送る前記ガスタービンユニットの前記助燃バーナに燃料を送る助燃運転形態と、のうちのいずれかの運転形態を定める。前記運転形態設定工程では、複数の前記ガスタービンユニットのうち、（Ｍ−１）（Ｍは２以上の自然数）基の前記ガスタービンユニットにおける前記助燃バーナに燃料を送る助燃運転形態であって、プラント出力が、Ｍ基の前記ガスタービンユニットにおける前記燃焼器に燃料を送る前記標準運転形態ときのプラント出力と同じになる代替助燃運転形態が実施可能な場合に、前記運転形態として、前記代替助燃運転形態を定めることがある。
【００１８】
上記目的を達成するための発明に係る一態様としてのコンバインドプラントの制御装置は、以下のコンバインドサイクルプラントの制御装置である。
このコンバインドサイクルプラントは、第一ガスタービンユニットと、蒸気タービンと、助燃装置と、第二ガスタービンユニットと、を備える。前記第一ガスタービンユニットは、第一ガスタービン、及びその排気ガスの熱を用いて蒸気を発生させる第一排熱回収蒸気発生器を有する。前記蒸気タービンは、前記第一排熱回収蒸気発生器から発生した蒸気で駆動される。前記助燃装置は、前記第一排熱回収蒸気発生器の蒸気発生器枠内で燃料を燃焼させて発生蒸気量を増加させることで前記蒸気タービンの出力を増加させる。前記第二ガスタービンユニットは、第二ガスタービン、及びその排気ガスの熱を用いて蒸気を発生させる第二排熱回収蒸気発生器を有する。
このコンバインドサイクルプラントの制御装置は、前記助燃装置を駆動せずに前記第一ガスタービンユニットを駆動する、叉は前記助燃装置を駆動せずに前記第一ガスタービンユニット及び前記蒸気タービンを駆動する第一運転区間と、前記第一運転区間での最大出力以上の要求出力を受けた場合は、前記第一ガスタービンユニット、前記助燃装置及び前記蒸気タービンを駆動する第二運転区間と、前記第二運転区間での最大出力以上の要求出力を受けた場合は、前記助燃装置を駆動せずに、前記第一ガスタービンユニット、第二ガスタービンユニット及び前記蒸気タービンを駆動する第三運転区間と、を実行可能に、前記第一ガスタービンユニット、前記蒸気タービン、前記助燃装置、及び前記第二ガスタービンユニットを制御する制御部を備える。
【００１９】
ここで、前記一態様のコンバインドサイクルプラントの制御装置において、前記第一運転区間での最大出力以上の要求出力を受けた場合、前記助燃装置を駆動せずに、前記第一ガスタービンユニット、第二ガスタービンユニット及び前記蒸気タービンを駆動する代替第二運転区間と、前記第二運転区間とのうち、いずれか一方の選択を受け付けて、受け付けた運転区間を前記制御部により実行させる受付部を有してもよい。
【００２０】
前記受付部を有する前記態様のコンバインドサイクルプラントの制御装置において、前記第一運転区間での最大出力以上の要求出力を受けた場合、前記代替第二運転区間と、前記第二運転区間とのうち、いずれか一方を実行可能である旨を表示する表示部を有してもよい。
【００２１】
前記表示部を有する前記態様のコンバインドサイクルプラントの制御装置において、前記表示部は、前記代替第二運転区間の実行時におけるプラント効率と、前記第二運転区間の実行時におけるプラント効率と、を表示してもよい。
【００２２】
上記目的を達成するための発明に係る一態様としてのコンバインドサイクルプラントは、
以上のいずれかの前記態様の制御装置と、前記第一ガスタービンユニットと、前記蒸気タービンと、前記助燃装置と、前記第二ガスタービンユニットと、を備える。
【００２３】
上記目的を達成するための発明に係る他の態様としてのコンバインドプラントの制御装置は、以下のコンバインドサイクルプラントの制御装置である。
このコンバインドサイクルプラントは、一基のガスタービンと、前記ガスタービンからの排気ガスの熱を利用して蒸気を発生する一基の排熱回収蒸気発生器とを有する、複数のガスタービンユニットと、複数の前記ガスタービンユニット毎の前記排熱回収蒸気発生器からの蒸気で駆動可能な一基以上の蒸気タービンと、を備える。前記ガスタービンは、燃料を燃焼する燃焼器と、前記燃焼器に供給する燃料の流量を調節する主燃料弁と、を有する。前記排熱回収蒸気発生器は、前記排気ガスが内部を通る枠と、前記枠内に燃料を噴射して、前記枠内で燃料を燃焼させる助燃バーナと、前記助燃バーナに供給する燃料の流量を調節する助燃燃料弁と、を有する。
このコンバインドサイクルプラントの制御装置は、外部から前記コンバインドサイクルプラントに対する要求出力を受け付ける要求出力受付部と、前記コンバインドサイクルプラントの運転形態を定める運転形態設定部と、前記運転形態と前記要求出力に応じて、複数の前記ガスタービンユニット毎の前記主燃料弁の開度及び前記助燃燃料弁の開度を定めて、複数の前記ガスタービンユニット毎の前記主燃料弁に開度を指示すると共に前記助燃燃料弁の開度を指示する弁制御部と、を備える。前記運転形態設定部は、複数の前記ガスタービンユニットのうち、複数の前記ガスタービンユニットのいずれかの前記燃焼器に燃料を送り、複数の前記ガスタービンユニットのいずれの前記助燃バーナにも燃料を送らない標準運転形態と、複数の前記ガスタービンユニットのいずれかの前記燃焼器に燃料を送り、前記燃焼器に燃料を送る前記ガスタービンユニットの前記助燃バーナに燃料を送る助燃運転形態と、のうちのいずれかの運転形態を定める。前記運転形態設定部は、複数の前記ガスタービンユニットのうち、（Ｍ−１）（Ｍは２以上の自然数）基の前記ガスタービンユニットにおける前記助燃バーナに燃料を送る助燃運転形態であって、プラント出力が、Ｍ基の前記ガスタービンユニットにおける前記燃焼器に燃料を送る前記標準運転形態ときのプラント出力と同じになる代替助燃運転形態が実施可能な場合に、前記運転形態として、前記代替助燃運転形態を定め得る。
【００２４】
代替助燃運転形態では、例えば、一基のガスタービンの出力が、このガスタービンの許容最大出力のときでも、このガスタービンの駆動に寄与しない助燃燃料を噴射する。このため、代替助燃運転形態では、プラント出力が、一基のガスタービンの効率よりも多少低くなる。
【００２５】
この代替助燃運転形態に対して、この代替運転形態でのプラント出力が同じになる対応標準運転形態では、Ｍ基のガスタービンユニットにおける各ガスタービンの出力は、ガスービンの許容最大出力のほぼ（Ｍ−１）／Ｍになる。対応標準運転形態では、例えば、２基のガスタービンユニットにおける各ガスタービンの出力は、ガスービンの許容最大出力のほぼ１／２になる。また、対応標準運転形態では、３基のガスタービンユニットＵにおける各ガスタービンの出力は、ガスービンの許容最大出力のほぼ２／３になる。このため、対応標準運転形態では、プラント効率が大幅に低くなる。よって、代替助燃運転形態でのプラント効率は、対応標準運転形態のプラント効率よりも高くなる。
【００２６】
本態様では、代替助燃運転形態を実行し得る。よって、本態様では、プラント効率を高めることができる。
【００２７】
ここで、前記態様のコンバインドサイクルプラントの制御装置において、前記運転形態設定部は、前記要求出力に対して前記代替助燃運転形態が可能な場合に、前記代替助燃運転形態と前記標準運転形態とのうち、一方の運転形態を選択可能である旨を表示する表示部と、前記表示部での表示内容に対して、前記一方の運転形態を受け付ける運転形態受付部と、前記運転形態受付部が受け付けた前記一方の運転形態を、前記コンバインドサイクルプラントの前記運転形態として決める運転形態決定部と、を有してもよい。
【００２８】
要求出力受付部が、代替助燃運転形態を実行可能な特定範囲の要求出力を受け付けた後、短時間のうちに、この特定範囲の要求出力よりも大きい要求出力を受けることが想定される場合がある。この場合、要求出力受付部が特定範囲の要求出力を受け付けた時点で、（Ｍ−１）基のガスタービンユニットによる代替助燃運転形態を実行するよりも、Ｍ基のガスタービンユニットによる標準運転形態を実行する方が、特定範囲の要求出力よりも大きい要求出力を受けた後に、この要求出力を満たすまでの時間を短くすることができる。
【００２９】
そこで、本態様では、要求出力受付部が特定範囲の要求出力を受け付けた場合でも、オペレータに、（Ｍ−１）のガスタービンユニットによる代替助燃運転形態を実行するか、Ｍ基のガスタービンユニットによる標準運転形態を実行するかについて、選択させ、オペレータで選択された方の運転形態を実行できるようにしている。
【００３０】
また、前記表示部を有する前記態様の、コンバインドサイクルプラントの制御装置において、前記表示部は、前記代替助燃運転形態を実行したときのプラント効率と、前記標準運転形態を実行したときのプラント効率と、を表示してもよい。
【００３１】
本態様では、表示部が、代替助燃運転形態と標準運転形態とのうち、一方の運転形態を選択可能である旨と、代替助燃運転形態を実行したときのプラント効率及び標準運転形態を実行したときのプラント効率と、を表示する。このため、オペレータは、代替助燃運転形態と標準運転形態とのうち、プラント効率の観点から、一方の運転形態を容易に選択することができる。
【００３２】
上記目的を達成するための発明に係る他の態様としてのコンバインドサイクルプラントは、
前記他の態様の制御装置と、複数の前記ガスタービンユニットと、一基以上の前記蒸気タービンと、を備える。
【発明の効果】
【００３３】
本発明の一態様によれば、プラント効率を高めることができる。
【図面の簡単な説明】
【００３４】
【図１】本発明に係る第一実施形態におけるコンバインドサイクルプラントの系統図である。
【図２】本発明に係る第一実施形態におけるコンバインドサイクルプラントの時間経過に伴うプラント出力及びプラント効率の変化を示すグラフである。
【図３】本発明に係る第一実施形態におけるコンバインドサイクルプラントの制御装置の動作を示すフローチャートである。
【図４】本発明に係る第一実施形態におけるコンバインドサイクルプラントで、助燃運転形態を一切実行しない場合のプラント出力とプラント効率との関係を示すグラフである。
【図５】本発明に係る第一実施形態におけるコンバインドサイクルプラントで、助燃運転形態を部分的に実行する場合のプラント出力とプラント効率との関係を示すグラフである。
【図６】本発明に係る第二実施形態におけるコンバインドサイクルプラントの系統図である。
【図７】本発明に係る第二実施形態におけるコンバインドサイクルプラントで、助燃運転形態を部分的に実行する場合のプラント出力とプラント効率との関係を示すグラフである。
【図８】本発明に係る第三実施形態におけるコンバインドサイクルプラントの系統図である。
【発明を実施するための形態】
【００３５】
以下、本発明に係るコンバインドサイクルプラントの各種実施形態について、図面を用いて説明する。
【００３６】
「第一実施形態」
まず、図１〜図５を参照して、本発明に係るコンバインドサイクルプラントの第一実施形態について説明する。
【００３７】
本実施形態のコンバインドサイクルプラントは、図１に示すように、二基のガスタービンユニットＵと、一基の蒸気タービン４０と、蒸気タービン４０から排気された蒸気を水に戻す復水器４４と、蒸気タービン４０の駆動で発電する蒸気タービン発電機４５と、を備える。
【００３８】
二基のガスタービンユニットＵは、いずれも、一基のガスタービン１０と、このガスタービン１０からの排気ガスの熱を利用して蒸気を発生する一基のＨＲＳＧ３０と、ガスタービン１０の駆動で発電する一基のガスタービン発電機２５と、を有する。ガスタービン１０は、空気を圧縮する圧縮機１１と、圧縮機１１で圧縮された空気中で燃料を燃焼させて燃焼ガスを生成する燃焼器１４と、高温高圧の燃焼ガスにより駆動するタービン１５と、燃焼器１４に供給する燃料Ｆの流量を調節する主燃料弁２１と、を有する。圧縮機１１は、軸線を中心として回転する圧縮機ロータ１２と、この圧縮機ロータ１２を覆う圧縮機ケーシング１３と、を有する。燃焼器１４には、主燃料ライン２０が接続されている。主燃料弁２１は、この主燃料ライン２０に設けられている。タービン１５は、軸線を中心として回転するタービンロータ１６と、このタービンロータ１６を覆うタービンケーシング１７と、を有する。タービン１５のタービンロータ１６と圧縮機１１の圧縮機ロータ１２とは、同一の軸線を中心として回転するもので、相互に連結されて、ガスタービンロータ１８を成す。このガスタービンロータ１８には、ガスタービン発電機２５のロータが接続されている。
【００３９】
なお、以下の説明の都合上、二基のガスタービンユニットＵのうち、第一ガスタービンユニットＵａに含まれるガスタービン１０を第一ガスタービン１０ａ、この第一ガスタービンユニットＵａに含まれるＨＲＳＧ３０を第一ＨＲＳＧ３０ａとする。また、二基のガスタービンユニットＵのうち、第二ガスタービンユニットＵｂに含まれるガスタービン１０を第二ガスタービン１０ｂ、この第二ガスタービンユニットＵｂに含まれるＨＲＳＧ３０を第二ＨＲＳＧ３０ｂとする。
【００４０】
ＨＲＳＧ３０は、ガスタービン１０からの排気ガスが流れる蒸気発生器枠３１と、蒸気発生器枠３１内に配置されている伝熱管３２と、を有する。蒸気発生器枠３１は、排気ガスが流入する排気ガス入口３１ｉと、排気ガスが流出する排気ガス出口３１ｏとを有する。タービン１５の排気口１７ｏと蒸気発生器枠３１の排気ガス入口３１ｉとは、タービン１５からの排気ガスが蒸気発生器枠３１内に流入するよう、接続されている。蒸気発生器枠３１の排気ガス出口３１ｏと煙突３９とは、蒸気発生器枠３１からの排気ガスが煙突３９に流入するよう、接続されている。伝熱管３２は、水が流入する水入口３２ｉと、蒸気が流出する蒸気出口３２ｏと、を有する。水入口３２ｉは、蒸気発生器枠３１の排気ガス出口３１ｏ側に位置し、蒸気出口３２ｏは、蒸気発生器枠３１の排気ガス入口３１ｉ側に位置する。この伝熱管３２は、蒸気発生器枠３１内を排気ガス入口３１ｉから排気ガス出口３１ｏ側に向かって流れる排気ガスと、伝熱管３２内を流れる水又は蒸気とを熱交換させる。ＨＲＳＧ３０には、助燃装置３７が設けられている。この助燃装置３７は、蒸気発生器枠３１内に燃料を噴射する助燃バーナ３３と、助燃バーナ３３に燃料を導く助燃燃料ライン３５と、助燃バーナ３３に供給する燃料の流量を調節する助燃燃料弁３６と、を有する。助燃燃料弁３６は、この助燃燃料ライン３５に設けられている。
【００４１】
第一ＨＲＳＧ３０ａの水入口３２ｉには、第一給水ライン５１が接続されている。この第一給水ライン５１には、この第一給水ライン５１を流れる水の流量を調節する第一給水弁６１が設けられている。第二ＨＲＳＧ３０ｂの水入口３２ｉには、第二給水ライン５２が接続されている。この第二給水ライン５２には、この第二給水ライン５２を流れる水の流量を調節する第二給水弁６２が設けられている。第一ＨＲＳＧ３０ａの蒸気出口３２ｏには、第一蒸気ライン５６が接続されている。この第一蒸気ライン５６には、この第一蒸気ライン５６を流れる蒸気の流量を調節する第一蒸気弁６６が設けられている。第二ＨＲＳＧ３０ｂの蒸気出口３２ｏには、第二蒸気ライン５７が接続されている。この第二蒸気ライン５７には、この第二蒸気ライン５７を流れる蒸気の流量を調節する第二蒸気弁６７が設けられている。
【００４２】
蒸気タービン４０は、軸線を中心として回転する蒸気タービンロータ４１と、この蒸気タービンロータ４１を覆う蒸気タービンケーシング４２と、を有する。蒸気タービンロータ４１には、蒸気タービン発電機４５のロータが接続されている。蒸気タービンケーシング４２は、蒸気入口４２ｉと蒸気排気口４２ｏとを有する。蒸気入口４２ｉには、主蒸気ライン５５が接続されている。この主蒸気ライン５５には、この主蒸気ライン５５を流れる蒸気の流量を調節する主蒸気弁６５が設けられている。主蒸気ライン５５は、前述した第一蒸気ライン５６及び第二蒸気ライン５７に接続されている。蒸気排気口４２ｏには、復水器４４が接続されている。復水器４４には、主給水ライン５０が接続されている。この主給水ライン５０は、二つのラインに分岐している。二つのラインのうち、一方のラインが第一給水ライン５１を成し、他方のラインが第二給水ライン５２を成す。
【００４３】
本実施形態のコンバインドサイクルプラントは、さらに、以上で説明した各弁の動作を制御する制御装置１００を備える。この制御装置１００は、コンバインドサイクルプラントに対する要求出力を受け付ける要求出力受付部１０１と、コンバインドサイクルプラントの運転形態を定める運転形態設定部１０２と、複数の弁毎の開度を指示する弁制御部１０３と、を有する。
【００４４】
運転形態設定部１０２は、標準運転形態と、助燃運転形態とのうち、いずれかの運転形態を定める。標準運転形態は、二基のガスタービンユニットＵの少なくとも一基のガスタービンユニットＵの燃焼器１４に燃料を送り、且つ二基のガスタービンユニットＵの各助燃バーナ３３に燃料を送らない運転形態である。助燃運転形態は、二基のガスタービンユニットＵの少なくとも一基のガスタービンユニットＵの燃焼器１４に燃料を送り、この一基のガスタービンユニットＵの助燃バーナ３３に燃料を送る運転形態である。すなわち、標準運転形態と助燃運転形態とのいずれの運転形態でも、二基のガスタービンユニットＵの少なくとも一基のガスタービンユニットＵの燃焼器１４に燃料を送る。しかしながら、標準運転形態では、二基のガスタービンユニットＵの助燃バーナ３３に燃料を送らず、助燃運転形態では、少なくとも一基のガスタービンユニットＵの助燃バーナ３３に燃料を送る。
【００４５】
運転形態設定部１０２は、表示部１０２ａと、運転形態受付部１０２ｂと、運転形態決定部１０２ｃと、を有する。表示部１０２ａは、要求出力に対して代替助燃運転形態が実施可能な場合に、代替助燃運転形態と標準運転形態とのうち、一方の運転形態を選択可能である旨を表示する。なお、ここでの代替助燃運転形態とは、二基のガスタービンユニットＵのうち、一方のガスタービンユニットＵ（例えば、第一ガスタービンユニットＵａ）の燃焼器１４のみに燃料を送り且つ一方のガスタービンユニットＵ（例えば、第一ガスタービンユニットＵａ）の助燃バーナ３３に燃料を送る助燃運転形態であって、プラント出力が、二基のガスタービンユニットＵの各燃焼器１４に燃料を送り、二基のガスタービンユニットＵの各助燃バーナ３３に燃料を送らいない標準運転形態のときのプラント出力とプラント出力が同じになる助燃運転形態である。運転形態受付部１０２ｂは、表示部１０２ａでの表示内容に対して、一方の運転形態を受け付ける。運転形態決定部１０２ｃは、運転形態受付部１０２ｂが受け付けた一方の運転形態を、コンバインドサイクルプラントの運転形態として決める。なお、代替助燃運転形態のプラント出力とプラント出力が同じになる標準運転形態を対応標準運転形態とする。
【００４６】
弁制御部１０３は、運転形態設定部１０２が定めた運転形態と要求出力受付部１０１が受け付けた要求出力に応じて、以上で説明した複数の弁毎の開度を定め、各弁に対応する開度を指示する。
【００４７】
運転形態決定部１０２ｃ、弁制御部１０３、及び以上で説明した複数の弁は、制御部１０４を構成する。
【００４８】
次に、図２を用いて、時間経過に伴うコンバインドサイクルプラントの出力及び効率の変化について説明する。
【００４９】
第一ガスタービン１０ａへの燃料供給が開始され（ｔ１）、この燃料の流量を時間経過に伴い徐々に増加させると、この第一ガスタービン１０ａの出力（図中、一点鎖線で示す）は、時間経過に伴い徐々に増加する。第一ガスタービン１０ａに供給される燃料が増加している過程では、コンバインドサイクルプラントに含まれる第一ガスタービン１０ａと第二ガスタービン１０ｂと蒸気タービン４０とのうち、第一ガスタービン１０ａのみが駆動しているので、プラント出力（図中、細実線で示す）は、第一ガスタービン１０ａの出力と同じになる。
【００５０】
ガスタービン効率は、ガスタービン１０に供給される燃料が増加し、燃焼ガスの温度が高くなるに連れて、高まる。このため、第一ガスタービン１０ａに供給される燃料が増加している過程では、プラント効率η（図中、太実線で示す）も、時間経過に伴い高まる。なお、プラント効率ηは、プラント出力を、プラントに供給した燃料が持つ熱エネルギーで割った値である。
【００５１】
第一ガスタービン１０ａの出力が、この第一ガスタービン１０ａに対して定められている許容最大出力Ｐｇｔｃになると（ｔ２）、第一ガスタービン１０ａに供給される燃料の流量を一定にする。この結果、第一ガスタービン１０ａの出力は、許容最大出力Ｐｇｔｃを維持する。なお、以下では、ガスタービン１０が許容最大出力になっているときに、ガスタービン１０に供給される燃料の流量を許容最大流量とする。
【００５２】
第一ＨＲＳＧ３０ａは、第一ガスタービン１０ａから排気された排気ガスの熱を利用して水を加熱して、この水を蒸気にする。第一ＨＲＳＧ３０ａからの蒸気の状態量が蒸気タービン４０への供給条件を満たすと、蒸気タービン４０への蒸気供給が開始され（ｔ２）、この蒸気の流量を時間経過に伴い徐々に増加させる。蒸気タービン４０に供給される蒸気の流量が徐々に増加すると、蒸気タービン４０の出力（図中、長破線で示す）も、徐々に増加する。蒸気タービン４０への蒸気供給が開始され、この蒸気の流量が増加している過程では、コンバインドサイクルプラントに含まれる第一ガスタービン１０ａと第二ガスタービン１０ｂと蒸気タービン４０とのうち、第一ガスタービン１０ａと蒸気タービン４０とが駆動しているので、プラント出力は、第一ガスタービン１０ａの出力と蒸気タービン４０の出力との和になる。このため、この時点におけるプラント出力は、第一ガスタービン１０ａの出力が許容最大出力Ｐｇｔｃで一定であっても、蒸気タービン４０の出力の増加分だけ増加する。
【００５３】
第一ガスタービン１０ａに供給されている燃料の流量が一定であっても、蒸気タービン４０の出力が増加すれば、前述したように、プラント出力は増加する。このため、第一ガスタービン１０ａに供給されている燃料の流量が一定でも、蒸気タービン４０に供給される蒸気の流量が増加している過程では、プラント効率ηは、蒸気タービン４０の出力の増加に伴って高まる。
【００５４】
第一ガスタービン１０ａの出力が許容最大出力Ｐｇｔｃで一定になると、その後、第一ガスタービン１０ａからの排気ガスの熱で発生する蒸気の流量も一定になる。このため、第一ガスタービン１０ａの出力が許容最大出力Ｐｇｔｃで一定になると、第一ガスタービン１０ａからの排気ガスの熱に起因した蒸気タービン４０の出力は、一時的に増加するものの、その後、増加しなくなり（ｔ３）、Ｐｓｔｃ1で一定になる。この結果、時刻ｔ３で、プラント出力Ｐは、第一ガスタービン１０ａの許容最大出力Ｐｇｔｃと、このときの蒸気タービン４０の出力Ｐｓｔｃ1とを加算した値Ｐ１になる。
【００５５】
ここで、二基のガスタービンユニットＵが駆動し、各ガスタービン１０の出力が許容最大出力Ｐｇｔｃであり、助燃装置３７を駆動していないときの蒸気タービン４０の出力は、この蒸気タービン４０の許容最大出力（１００％）であるとする。前述した蒸気タービン４０の出力Ｐｓｔｃ1は、助燃装置３７を駆動せず、一基のガスタービンユニットＵのみが駆動しているときの蒸気タービン４０の最大出力である。このＰｓｔｃ1は、この蒸気タービン４０の許容最大出力の約５０％である。また、二基のガスタービンユニットＵ及び蒸気タービン４０が駆動し、各ガスタービン１０の出力が許容最大出力Ｐｇｔｃであり、助燃装置３７を駆動していないときのプラント出力Ｐ３をこのプラントの最大出力（１００％）とする。前述した蒸気タービン４０の出力Ｐｓｔｃ1とガスタービン１０の許容最大出力Ｐｇｔｃとを加算したプラント出力Ｐ１は、助燃装置３７を駆動せず、一基のガスタービンユニットＵ及び蒸気タービン４０のみが駆動しているときの最大出力である。このプラント出力Ｐ１は、プラント最大出力Ｐ３の約５０％である。
【００５６】
また、以上で説明した時刻ｔ１〜ｔ３の運転区間を、第一運転区間と称する。すなわち、この第一運転区間は、助燃装置３７を駆動せずに第一ガスタービンユニットＵａを駆動する、叉は助燃装置３７を駆動せずに第一ガスタービンユニットＵａ及び蒸気タービン４０を駆動する運転区間である。
【００５７】
ここで、第一ガスタービン１０ａからの排気ガスの熱に起因した蒸気タービン４０の出力が増加しなくなり、Ｐｓｔｃ1で一定になると（ｔ３）、助燃バーナ３３から蒸気発生器枠３１内に燃料を噴射させ、この燃料を蒸気発生器枠３１内で燃焼させるとする。蒸気発生器枠３１内で燃料が燃焼すると、第一ガスタービン１０ａからの排気ガスの熱に起因した蒸気の発生量が一定であっても、ＨＲＳＧ３０から発生する蒸気の流量は、増加する。このため、助燃バーナ３３から蒸気発生器枠３１内に燃料を噴射させた場合、蒸気タービン４０の出力は、助燃バーナ３３からの噴出した燃料が持つ熱エネルギー分（図中、短破線で示す）だけ増加する。
【００５８】
よって、第一ガスタービン１０ａの出力が許容最大出力Ｐｇｔｃで一定になり、且つ第一ガスタービン１０ａからの排気ガスの熱に起因した蒸気の発生量が一定になっても、助燃バーナ３３から燃料を噴射させると、蒸気タービン４０の出力が増加する結果、プラント出力も増加する。但し、助燃バーナ３３から噴射する燃料は、第一ガスタービン１０ａの駆動に寄与しない。このため、助燃バーナ３３から燃料を噴射すると、プラント効率ηは、η１からη２へと低下する。
【００５９】
助燃バーナ３３からの燃料供給を開始してから（ｔ３）、この燃料の流量を徐々に増加していくと、この燃料の増加に伴って、蒸気タービン４０の出力及びプラント出力が増加する一方で、プラント効率ηが前述したようにη１からη２へと低下する。助燃バーナ３３から噴射する燃料の流量が許容最大流量になると（ｔ４）、この燃料の流量を許容最大流量で一定にする。この結果、蒸気タービン４０の出力、プラント出力Ｐ、プラント効率ηが一定になる。このときのプラント出力Ｐは、助燃運転形態での最大出力Ｐ２になる。
【００６０】
助燃バーナ３３から噴射する燃料の流量を所定時間一定にした後（ｔ５）、この燃料の流量を徐々に減少させていくと、この燃料の減少に伴って、蒸気タービン４０の出力及びプラント出力ＰがＰ２からＰ１へと減少する一方で、プラント効率ηがη２からη１へと高まる。
【００６１】
助燃バーナ３３への燃料供給を停止した時点で（ｔ６）、コンバインドサイクルプラントに対する要求出力が、例えば、このコンバインドサイクルプラントの許容最大出力になったとする。この場合、第二ガスタービン１０ｂを起動させて、この第二ガスタービン１０ｂを第一ガスタービン１０ａと共に駆動させることなる。
【００６２】
ここで、以上で説明した時刻ｔ３〜ｔ６の運転区間を、第二運転区間と称する。すなわち、この第二運転区間は、第一運転区間での最大出力Ｐ１の要求出力を受けた場合に、第一ガスタービンユニットＵａ、助燃装置３７及び蒸気タービン４０を駆動する運転区間である。この第二運転区間での最大出力は、前述した助燃運転形態での最大出力Ｐ２である。言い換えると、この第二運転区間での最大出力Ｐ２は、第一ガスタービン１０ａが許容最大出力Ｐｇｔｃときで且つ助燃装置３７から燃料の流量が許容最大流量のときのプラント出力である。
【００６３】
第二ガスタービン１０ｂを起動させて、この第二ガスタービン１０ｂを第一ガスタービン１０ａと共に駆動させる場合、第一ＨＲＳＧ３０ａから発生する蒸気の状態量と第二ＨＲＳＧ３０ｂから発生する蒸気の状態量とを揃える必要がある。
【００６４】
このため、前述したように、助燃バーナ３３への燃料供給を停止した時点で（ｔ６）、第二ガスタービン１０ｂを起動させる場合、第一ガスタービン１０ａに供給する燃料の流量を徐々に減少させる一方で、第二ガスタービン１０ｂへの燃料供給を開始して、この燃料の流量を徐々に増加させる。第一ガスタービン１０ａに供給する燃料の流量が徐々に減少すると、第一ガスタービン１０ａの出力は徐々に減少する。また、第二ガスタービン１０ｂへの燃料供給が開始され、この燃料の流量が徐々に増加すると、第二ガスタービン１０ｂの出力（図中、二点鎖線で示す）は徐々に増加する。
【００６５】
第二ガスタービン１０ｂへの燃料供給が開始された直後では、第二ＨＲＳＧ３０ｂから蒸気タービン４０に蒸気を供給できない。また、第一ガスタービン１０ａへの燃料供給量が徐々に減っている過程では、第一ＨＲＳＧ３０ａからの蒸気タービン４０に供給する蒸気の流量も徐々に減る。このため、第一ガスタービン１０ａに供給する燃料の流量が徐々に減少し、且つ第二ガスタービン１０ｂへの燃料供給が開始された直後では、蒸気タービン４０の出力は、徐々に低下する。
【００６６】
このため、第一ガスタービン１０ａへの燃料供給量が徐々に減り、且つ、第二ガスタービン１０ｂへの燃料供給が開始された直後では、プラント出力Ｐが減少する。
【００６７】
前述したように、ガスタービン効率は、ガスタービン１０に供給される燃料が増加し、燃焼ガスの温度が高くなるに連れて、高まる。このため、第一ガスタービン１０ａへの燃料供給量が徐々に減り、且つ、第二ガスタービン１０ｂへの燃料供給が開始された直後では、第一ガスタービン１０ａ及び第二ガスタービン１０ｂのそれぞれに許容最大流量の燃料を供給しているときよりも、第一ガスタービン１０ａの効率及び第二ガスタービン１０ｂの効率が低くなる。しかも、この時点で、蒸気タービン４０の効率も低下する。よって、第一ガスタービン１０ａへの燃料供給量が徐々に減り、且つ、第二ガスタービン１０ｂへの燃料供給が開始された直後では、プラント効率ηが大きく低下する。
【００６８】
第一ガスタービン１０ａの出力と第二ガスタービン１０ｂの出力とが同じになると（ｔ７）、第一ガスタービン１０ａへ供給される燃料の流量が所定時間維持されると共に、第二ガスタービン１０ｂへ供給される燃料の流量が所定時間維持される。この結果、第一ＨＲＳＧ３０ａから発生する蒸気の状態量と第二ＨＲＳＧ３０ｂから発生する蒸気の状態量とが揃う。
【００６９】
各ガスタービン１０へ供給される燃料の流量が維持されている間、第二ＨＲＳＧ３０ｂからの蒸気の状態量が蒸気タービン４０への供給条件を満たすと（ｔ８）、この第二ＨＲＳＧ３０ｂからの蒸気が蒸気タービン４０へ供給開始される。このため、蒸気タービン４０の出力は、この時点（ｔ８）から徐々に増加する。
【００７０】
各ガスタービン１０へ供給される燃料の流量が維持されている間であって、第二ＨＲＳＧ３０ｂからの蒸気の状態量が蒸気タービン４０への供給条件を満たす（ｔ８）前、プラント出力及びプラント効率ηは、一定である。また、各ガスタービン１０へ供給される燃料の流量が維持されている間であって、第二ＨＲＳＧ３０ｂからの蒸気の状態量が蒸気タービン４０への供給条件を満たした後（ｔ８）、プラント出力及びプラント効率ηは、蒸気タービン４０の出力増加に伴って、徐々に高まる。
【００７１】
各ガスタービン１０へ供給される燃料の流量が所定時間維持された後（ｔ９）、各ガスタービン１０へ供給される燃料の流量を徐々に増加させる。各ガスタービン１０の出力及び効率も、徐々に高まる。さらに、蒸気タービン４０には、第一ＨＲＳＧ３０ａからの蒸気と第二ＨＲＳＧ３０ｂからの蒸気とが流入し、蒸気タービン４０の出力及び効率も、徐々に高まる。このため、各ガスタービン１０へ供給される燃料の流量が所定時間維持された後（ｔ９）、各ガスタービン１０へ供給される燃料の流量が徐々に増加している過程では、プラント効率ηが急激に高まる。
【００７２】
第一ガスタービン１０ａの出力及び第二ガスタービン１０ｂの出力が、それぞれ、許容最大出力Ｐｇｔｃになると（ｔ１０）、第一ガスタービン１０ａ及び第二ガスタービン１０ｂに供給される燃料の流量は、一定になる。この結果、第一ガスタービン１０ａ及び第二ガスタービン１０ｂの出力は、許容最大出力Ｐｇｔｃを維持する。第一ガスタービン１０ａ及び第二ガスタービン１０ｂに供給される燃料の流量は、一定になると、その後、第一ＨＲＳＧ３０ａ及び第二ＨＲＳＧ３０ｂから発生する蒸気の流量も一定になり、蒸気タービン４０の出力も一定になる。このときの蒸気タービン４０の出力は、前述したように、この蒸気タービン４０の許容最大出力（１００％）である。
【００７３】
第一ガスタービン１０ａの出力及び第二ガスタービン１０ｂの出力が、それぞれ、許容最大出力Ｐｇｔｃになると（ｔ１０）、各タービン１５の効率が最高になる上に、蒸気タービン４０の効率も最高になる。よって、第一ガスタービン１０ａの出力及び第二ガスタービン１０ｂの出力が、それぞれ、許容最大出力Ｐｇｔｃになると（ｔ１０）、プラント効率ηも最高のη６になる。
【００７４】
ここで、以上で説明した時刻ｔ６以降の運転区間を、第三運転区間と称する。すなわち、この第三運転区間は、第二運転区間での最大出力Ｐ２以上の要求出力を受けた場合に、第一ガスタービンユニットＵａ、助燃装置３７及び蒸気タービン４０を駆動する運転区間である。
【００７５】
次に、図３に示すフローチャートに従って、本実施形態の制御装置１００の動作について説明する。
【００７６】
まず、要求出力受付部１０１が外部からコンバインドサイクルプラントに対する要求出力を受け付ける（Ｓ１：要求出力受付工程）。
【００７７】
要求出力受付部１０１が要求出力を受け付けると、運転形態設定部１０２は、運転形態として、標準運転形態と助燃運転形態とのうち、一方の運転形態を定める（Ｓ２：運転形態設定工程）。運転形態設定部１０２は、要求出力が特定範囲（Ｐ１〜Ｐ２）内の出力である場合を除いて、運転形態として、標準運転形態を定める。
【００７８】
運転形態設定部１０２により運転形態として標準運転形態が定められると、弁制御部１０３が、主燃料弁２１及び助燃燃料弁３６の弁開度を定め、これらの弁に対して、弁開度を示す弁開度指令を出力する（Ｓ３：弁制御工程）。標準運転形態は、助燃バーナ３３から燃料を噴射しない運転形態である。このため、運転形態として標準運転形態が定められた場合、弁制御部１０３は、二基のガスタービンユニットＵの各助燃燃料弁３６の開度を０にする弁開度指令を各助燃燃料弁３６に出力する。また、弁制御部１０３は、要求出力を満たす燃焼器１４への燃料の流量を定める。そして、弁制御部１０３は、この流量に応じた主燃料弁２１の開度を定めて、この開度を示す弁開度指令を主燃料弁２１に出力する。
【００７９】
ところで、図２に示すように、第一ガスタービンユニットＵａの燃焼器１４及び助燃バーナ３３に燃料を送っている時間帯でのプラント出力（Ｐ１〜Ｐ２）と、二基のガスタービンユニットＵの各燃焼器１４に燃料を送って各助燃バーナ３３に送っていない時間帯（ｔ６以降）の一部でのプラント出力（Ｐ１〜Ｐ２）とは、同じである。二基のガスタービンユニットＵの各燃焼器１４に燃料を送って各助燃バーナ３３に送っていない時間帯の一部での運転形態は、標準運転形態である。また、第一ガスタービンユニットＵａの燃焼器１４及び助燃バーナ３３に燃料を送っている時間帯（ｔ３〜ｔ６）での運転形態は、この標準運転形態に対する代替助燃運転形態である。なお、前述したように、代替助燃運転形態のプラント出力とプラント出力が同じになる標準運転形態は、対応標準運転形態である。
【００８０】
よって、要求出力受付部１０１が特定範囲（Ｐ１〜Ｐ２）の要求出力を受け付けた場合、このときの運転形態として代替助燃運転形態、言い換えると第二運転区間が実施可能になる。要求出力受付部１０１が特定範囲（Ｐ１〜Ｐ２）の要求出力を受け付けると（Ｓ１）、運転形態設定部１０２は、前述したように、運転形態として、標準運転形態と助燃運転形態とのうち、一方の運転形態を定める（Ｓ２）。このときの運転形態設定工程（Ｓ２）では、表示工程（Ｓ２ａ）、運転形態受付工程（Ｓ２ｂ）、及び運転形態決定工程（Ｓ２ｃ）が実行される。
【００８１】
表示工程（Ｓ２ａ）では、表示部１０２ａが、代替助燃運転形態（第二運転区間）と他対応標準運転形態（代替第二運転区間）とのうち、一方の運転形態（一方の運転区間）を選択可能である旨を表示する。さらに、表示部１０２ａは、代替助燃運転形態を実行したときのプラント効率ηと、対応標準運転形態を実行したときのプラント効率ηとを併せて表示する。オペレータは、この表示内容から、代替助燃運転形態と対応標準運転形態とのうち、一方の運転形態を選択し、この一方の運転形態を実行させたい旨を運転形態受付部１０２ｂに入力する。すなわち、運転形態受付工程（Ｓ２ｂ）において、運転形態受付部１０２ｂが一方の運転形態を受け付ける。運転形態決定工程（Ｓ２ｃ）では、運転形態決定部１０２ｃが、この一方の運転形態を、運転形態設定部１０２が定める運転形態とする。
【００８２】
仮に、運転形態受付工程（Ｓ２ｂ）において、運転形態受付部１０２ｂが代替助燃運転形態（第二運転区間）を受け付けたとする。この場合、運転形態決定部１０２ｃは、運転形態として、この代替助燃運転形態を定める。運転形態として代替助燃運転形態が定められた場合、弁制御工程（Ｓ３）において、弁制御部１０３は、第一ガスタービン１０ａの出力が許容最大出力Ｐｇｔｃになるよう、第一ガスタービンユニットＵａの燃焼器１４に供給する燃料の流量を定める。そして、弁制御部１０３は、この燃料の流量に応じた主燃料弁２１の開度を定め、この開度を示す弁開度指令を第一ガスタービンユニットＵａの主燃料弁２１に出力する。さらに、弁制御部１０３は、プラント出力が第一ガスタービン１０ａの許容最大出力Ｐｇｔｃでは要求出力に対して不足する分を、第一ガスタービンユニットＵａの助燃バーナ３３から噴出する燃料の燃焼で補えるよう、この燃料の流量を定める。そして、弁制御部１０３は、この燃料の流量に応じた助燃燃料弁３６の開度を定め、この開度を示す弁開度指令を第一ガスタービンユニットＵａの助燃燃料弁３６に出力する。弁制御部１０３は、このとき、第二ガスタービンユニットＵｂの主燃料弁２１の開度を０にする弁開度指令をこの主燃料弁２１に出力し、第二ガスタービンユニットＵｂの助燃燃料弁３６の開度を０にする弁開度指令をこの助燃燃料弁３６に出力する。
【００８３】
この結果、コンバインドサイクルプラントの運転形態が代替助燃運転形態になる。図２を用いて前述したように、代替助燃運転形態（第二運転区間）でのプラント出力の範囲は（Ｐ１〜Ｐ２）である。また、この代替助燃運転形態でのプラント効率ηの範囲は（η１〜η２）である。一方、プラント出力の範囲（Ｐ１〜Ｐ２）を標準運転形態で実現する場合、この標準運転形態である対応標準運転形態（代替第二運転区間）は、前述したように、二基のガスタービンユニットＵの各燃焼器１４に燃料を送って各助燃バーナ３３に送っていない時間帯の一部での運転形態である。この対応標準運転形態では、二基のガスタービンユニットＵの各燃焼器１４には、許容最大出力のほぼ半分ほどの出力が得られる流量の燃料が供給される。このため、二基のガスタービンユニットＵの各ガスタービン１０の効率は、一基のガスタービン１０に許容最大出力が得られる流量の燃料を供給した場合のガスタービン１０の効率よりも、大幅に低い。よって、代替助燃運転形態でのプラント効率ηの範囲（η１〜η２）は、助燃燃料の噴射により、ガスタービン１０が許容最大出力で駆動しているときのガスタービン１０の効率より低くなるものの、この代替助燃運転形態に対応する標準運転形態でのプラント効率ηの範囲（η３〜η４）より高くなる。
【００８４】
ここで、本実施形態でのプラント出力Ｐとプラント効率ηとの関係について、図４及び図５を用いて説明する。なお、図４及び図５において、横軸はプラント出力Ｐを示し、縦軸はプラント効率ηを示す。
【００８５】
図４は、助燃運転形態を一切実行しない場合のプラント出力Ｐとプラント効率ηとの関係を示すグラフである。図４に示すように、要求出力がプラント出力Ｐの０％〜約５０％の場合、前述の第一運転区間が実行される。すなわち、助燃装置３７が駆動されずに第一ガスタービンユニットＵａが駆動される、叉は助燃装置３７が駆動されずに第一ガスタービンユニットＵａ及び蒸気タービン４０が駆動される。よって、この第一運転区間は、１基のガスタービンユニットＵの駆動に対して、一基の蒸気タービン４０が駆動する１ｏｎ１運転区間である。この第一運転区間では、プラント出力Ｐの増加に伴ってプラント効率ηも増加する。この第一運転区間での最大プラント出力Ｐ１（約５０％）時におけるプラント効率ηは、図２を用いて前述したようにη１である。
【００８６】
要求出力が約５０％〜１００％になると、前述の代替第二運転区間が実行される。すなわち、助燃装置３７が駆動されずに、第一ガスタービンユニットＵａ、第二ガスタービンユニットＵｂ、及び蒸気タービン４０が駆動される。よって、この代替第二運転区間は、２基のガスタービンユニットＵの駆動に対して、一基の蒸気タービン４０が駆動する２ｏｎ１運転区間である。この代替第二運転区間でも、プラント出力Ｐの増加に伴ってプラント効率ηも増加する。この代替第二運転区間での最大プラント出力Ｐ３（１００％）時におけるプラント効率ηは、図２を用いて前述したようにη６である。プラント効率η６は、プラント効率η１より大きい。これは、第一運転区間では、蒸気タービン４０の効率が最高でないのに対して、代替第二運転区間では、蒸気タービン４０の効率が最高になるからである。
【００８７】
図５は、助燃運転形態を部分的に実行する場合のプラント出力Ｐとプラント効率ηとの関係を示すグラフである。図５に示すように、要求出力がプラント出力Ｐの０％〜約５０％の場合、図４に示す場合と同様に、第一運転区間が実行される。この第一運転区間中に、要求出力受付部１０１が特定範囲（Ｐ１（≒５０％）〜Ｐ２）の要求出力を受け付けた場合、運転形態設定部１０２が、前述したように、運転形態として、対応標準運転形態（代替第二運転区間）と代替助燃運転形態（第二運転区間）とのうち、一方の運転形態を定める。ここでは、運転形態設定部１０２が、運転形態として、代替助燃運転形態（第二運転区間）を定めたとする。代替助燃運転形態（第二運転区間）では、第一ガスタービンユニットＵａ、助燃装置３７及び蒸気タービン４０が駆動される。この第二運転区間のプラント効率ηは、第一運転区間での最大プラント効率η１から、プラント出力Ｐの増加に伴って徐々に低下し、この第二運転区間での最大プラント出力Ｐ２時にη２になる。これは、前述したように、助燃装置３７からの燃料が第一ガスタービン１０ａの駆動に寄与しないからである。
【００８８】
ところで、前述したように、対応標準運転形態では、二基のガスタービンユニットＵの各燃焼器１４には、許容最大出力のほぼ半分ほどの出力が得られる流量の燃料が供給される。このため、二基のガスタービンユニットＵの各ガスタービン１０の効率は、一基のガスタービン１０に許容最大出力が得られる流量の燃料を供給した場合のガスタービン１０の効率（ガスタービンの最大効率）よりも、大幅に低い。このため、対応標準運転形態（代替第二運転区間）でプラント出力ＰがＰ１〜Ｐ２の場合、プラント効率ηがη３〜η４になる。一方、代替助燃運転形態（第二運転区間）では、助燃燃料の噴射により、ガスタービン１０が許容最大出力で駆動しているときのガスタービン１０の効率よりも、プラント効率ηが低くなるものの、ガスタービン１０が最大効率で駆動している。このため、代替助燃運転形態（第二運転区間）でのプラント効率ηの範囲は、対応標準運転形態（プラント出力ＰがＰ１〜Ｐ２のときの代替第二運転区間）でのプラント効率の範囲（η３〜η４）より高いη１〜η２になる。
【００８９】
要求出力がＰ２〜Ｐ３（１００％）になると、運転形態設定部１０２が、運転形態として標準運転形態を定め、前述の第三運転区間が実行される。すなわち、助燃装置３７が駆動されずに、第一ガスタービンユニットＵａ、第二ガスタービンユニットＵｂ、及び蒸気タービン４０が駆動される。よって、この第三運転区間は、前述の代替第二運転区間と同様、２基のガスタービンユニットＵの駆動に対して、一基の蒸気タービン４０が駆動する２ｏｎ１運転区間である。この第三運転区間でのプラント効率ηは、η３から、プラント出力Ｐの増加に伴って増加する。この第三運転区間での最大プラント出力Ｐ３（１００％）時におけるプラント効率ηは、図４を用いて説明した代替第二運転区間での最大プラント出力Ｐ３（１００％）時におけるプラント効率η6と同じη６である。
【００９０】
以上のように、本実施形態では、代替助燃運転形態、つまり第二運転区間を実行することで、標準運転形態のみを実行した場合のプラント効率ηよりも、プラント効率ηを高めることができる。
【００９１】
ところで、要求出力受付部１０１が特定範囲（Ｐ１〜Ｐ２）の要求出力を受け付けた後、短時間のうちに、この特定範囲（Ｐ１〜Ｐ２）の要求出力よりも大きい要求出力を受けることが想定される場合がある。この場合、要求出力受付部１０１が特定範囲（Ｐ１〜Ｐ２）の要求出力を受け付けた時点で、一基のガスタービンユニットＵによる代替助燃運転形態を実行するよりも、二基のガスタービンユニットＵによる標準運転形態を実行する方が、特定範囲（Ｐ１〜Ｐ２）の要求出力よりも大きい要求出力を受けた後に、この要求出力を満たすまでの時間を短くすることができる。
【００９２】
このため、本実施形態では、要求出力受付部１０１が特定範囲（Ｐ１〜Ｐ２）の要求出力を受け付けた場合でも、オペレータに、一基のガスタービンユニットＵによる代替助燃運転形態を実行するか、二基のガスタービンユニットＵによる標準運転形態を実行するかについて、選択させ、オペレータで選択された方の運転形態を実行するようにしている。
【００９３】
また、本実施形態では、表示工程（Ｓ２ａ）では、前述したように、代替助燃運転形態と標準運転形態とのうち、一方の運転形態を選択可能である旨と、代替助燃運転形態を実行したときのプラント効率η及び標準運転形態を実行したときのプラント効率ηと、を表示する。このため、オペレータは、代替助燃運転形態と標準運転形態とのうち、プラント効率ηの観点から、一方の運転形態を容易に選択することができる。
【００９４】
なお、本実施形態では、以上で説明したように、要求出力受付部１０１が特定範囲（Ｐ１〜Ｐ２）の要求出力を受け付けた場合、オペレータに、一基のガスタービンユニットＵによる代替助燃運転形態を実行するか、二基のガスタービンユニットＵによる標準運転形態を実行するかについて、選択させる。しかしながら、要求出力受付部１０１が特定範囲（Ｐ１〜Ｐ２）の要求出力を受け付けた場合、必ず代替助燃運転形態を実行するようにしてもよい。
【００９５】
「第二実施形態」
次に、図６及び図７を参照して、本発明に係るコンバインドサイクルプラントの第二実施形態について説明する。
【００９６】
本実施形態のコンバインドサイクルプラントは、図６に示すように、第一実施形態のコンバインドサイクルプラントに、更に一基のガスタービンユニットＵｃを追加したプラントである。すなわち、本実施形態のコンバインドサイクルプラントは、三基のガスタービンユニットＵと、一基の蒸気タービン４０と、蒸気タービン４０から排気された蒸気を水に戻す復水器４４と、蒸気タービン４０の駆動で発電する蒸気タービン発電機４５と、を備える。
【００９７】
本実施形態における各ガスタービンユニットＵは、第一実施形態におけるガスタービンユニットＵと同様、一基のガスタービン１０と、このガスタービン１０からの排気ガスの熱を利用して蒸気を発生する一基のＨＲＳＧ３０と、ガスタービン１０の駆動で発電する一基のガスタービン発電機２５と、を有する。
【００９８】
三基のガスタービンユニットＵのそれぞれのＨＲＳＧ３０は、いずれも、第一実施形態のＨＲＳＧ３０と同様、蒸気発生器枠３１と、伝熱管３２と、を有する。各ＨＲＳＧ３０には、第一実施形態のＨＲＳＧ３０と同様、助燃装置３７が設けられている。
【００９９】
なお、以下の説明の都合上、三基のガスタービンユニットＵのうち、第一ガスタービンユニットＵａに含まれるガスタービン１０を第一ガスタービン１０ａ、この第一ガスタービンユニットＵａに含まれるＨＲＳＧ３０を第一ＨＲＳＧ３０ａとする。また、三基のガスタービンユニットＵのうち、第二ガスタービンユニットＵｂに含まれるガスタービン１０を第二ガスタービン１０ｂ、この第二ガスタービンユニットＵｂに含まれるＨＲＳＧ３０を第二ＨＲＳＧ３０ｂとする。さらに、また、三基のガスタービンユニットＵのうち、第三ガスタービンユニットＵｃに含まれるガスタービン１０を第三ガスタービン１０ｃ、この第三ガスタービンユニットＵｃに含まれるＨＲＳＧ３０を第三ＨＲＳＧ３０ｃとする。
【０１００】
本実施形態のコンバインドサイクルプラントは、三基のガスタービンユニットＵに対して一基の蒸気タービン４０が設けられている３オン１タイプのコンバインドサイクルプラントである。蒸気タービン４０には、この蒸気タービン４０の駆動で発電する蒸気タービン発電機４５が設けられている。また、本実施形態のコンバインドサイクルプラントでは、三基のガスタービンユニットＵに対して、一基の復水器４４が設けられている。
【０１０１】
復水器４４には、主給水ライン５０が接続されている。この主給水ライン５０は、三つのラインに分岐している。三つのラインのうち、第一ラインが第一給水ライン５１を成し、第二ラインが第二給水ライン５２を成し、第三ラインが第三給水ライン５３を成す。第一給水ライン５１は、第一ＨＲＳＧ３０ａの水入口３２ｉに接続されている。この第一給水ライン５１には、この第一給水ライン５１を流れる水の流量を調節する第一給水弁６１が設けられている。第二給水ライン５２は、第二ＨＲＳＧ３０ｂの水入口３２ｉに接続されている。この第二給水ライン５２には、この第二給水ライン５２を流れる水の流量を調節する第二給水弁６２が設けられている。第三給水ライン５３は、第三ＨＲＳＧ３０ｃの水入口３２ｉに接続されている。この第三給水ライン５３には、この第三給水ライン５３を流れる水の流量を調節する第三給水弁６３が設けられている。
【０１０２】
蒸気タービン４０の蒸気入口４２ｉには、主蒸気ライン５５が接続されている。この主蒸気ライン５５には、この主蒸気ライン５５を流れる蒸気の流量を調節する主蒸気弁６５が設けられている。主蒸気ライン５５は、第一蒸気ライン５６、第二蒸気ライン５７、第三蒸気ライン５８に接続されている。第一蒸気ライン５６は、第一ＨＲＳＧ３０ａの蒸気出口３２ｏに接続されている。この第一蒸気ライン５６には、この第一蒸気ライン５６を流れる蒸気の流量を調節する第一蒸気弁６６が設けられている。第二蒸気ライン５７は、第二ＨＲＳＧ３０ｂの蒸気出口３２ｏに接続されている。この第二蒸気ライン５７には、この第二蒸気ライン５７を流れる蒸気の流量を調節する第二蒸気弁６７が設けられている。第三蒸気ライン５８は、第三ＨＲＳＧ３０ｃの蒸気出口３２ｏに接続されている。この第三蒸気ライン５８には、この第三蒸気ライン５８を流れる蒸気の流量を調節する第三蒸気弁６８が設けられている。
【０１０３】
制御装置１００は、第一実施形態の制御装置１００と同様に、要求出力受付部１０１と、運転形態設定部１０２と、弁制御部１０３と、を有する。
【０１０４】
運転形態設定部１０２は、複数のガスタービンユニットＵのうち、（Ｍ−１）（Ｍは２以上の自然数）基のガスタービンユニットＵの助燃バーナ３３に燃料を送る助燃運転形態であって、プラント出力が、Ｍ基のガスタービンユニットＵの燃焼器１４に燃料を送る標準運転形態のときのプラント出力と同じになる代替助燃運転形態が実施可能な場合に、運転形態として、代替助燃運転形態を定め得る。
【０１０５】
次に、本実施形態でのプラント出力Ｐとプラント効率ηとの関係について、図７を用いて説明する。なお、図７において、横軸はプラント出力Ｐを示し、縦軸はプラント効率ηを示す。
【０１０６】
要求出力がプラント出力Ｐの０％〜約３３％の場合、第一運転区間が実行される。この第一運転区間では、第一実施形態の第一運転区間と同様、助燃装置３７を駆動せずに第一ガスタービンユニットＵａを駆動する、叉は助燃装置３７を駆動せずに第一ガスタービンユニットＵａ及び蒸気タービン４０を駆動する。よって、この第一運転区間は、１基のガスタービンユニットＵの駆動に対して、一基の蒸気タービン４０が駆動する１ｏｎ１運転区間である。また、この第一運転区間は、標準運転形態の区間である。この第一運転区間では、プラント出力Ｐの増加に伴ってプラント効率ηも増加する。この第一運転区間の最大プラント出力Ｐ１（約３３％）時におけるプラント効率ηは、η１である。
【０１０７】
第一運転区間中に、要求出力受付部１０１が第一特定範囲（Ｐ１（≒３３％）〜Ｐ２）の要求出力を受け付けた場合、運転形態設定部１０２が、運転形態として、対応標準運転形態と代替助燃運転形態（第二運転区間）とのうち、一方の運転形態を定める。ここでは、運転形態設定部１０２が、運転形態として、代替助燃運転形態（第二運転区間）を定めたとする。代替助燃運転形態（第二運転区間）では、第一ガスタービンユニットＵａ、助燃装置３７及び蒸気タービン４０が駆動される。この第二運転区間のプラント効率ηは、第一運転区間での最大プラント効率η１から、プラント出力Ｐの増加に伴って徐々に低下し、この第二運転区間での最大プラント出力Ｐ２時に、この第二運転区間での最小プラント効率η２になる。代替助燃運転形態（第二運転区間）でのプラント効率ηの範囲は、対応標準運転形態（代替第二運転区間）でのプラント効率の範囲（η３〜η４）より高いη１〜η２になる。
【０１０８】
要求出力がＰ２〜Ｐ３（≒６７％）になると、運転形態設定部１０２が、運転形態として標準運転形態を定め、第三運転区間が実行される。この第三運転区間では、助燃装置３７が駆動されずに、第一ガスタービンユニットＵａ、第二ガスタービンユニットＵｂ、及び蒸気タービン４０が駆動される。よって、この第三運転区間は、２基のガスタービンユニットＵの駆動に対して、一基の蒸気タービン４０が駆動する２ｏｎ１運転区間である。この第三運転区間でのプラント効率ηは、η３から、プラント出力Ｐの増加に伴って増加する。この第三運転区間での最大プラント出力Ｐ３（≒６７％）時におけるプラント効率ηは、この第三運転区間での最大プラント効率η６である。
【０１０９】
第二運転区間中に、要求出力受付部１０１が第二特定範囲（Ｐ３（≒６７％）〜Ｐ４）の要求出力を受け付けた場合、運転形態設定部１０２が、運転形態として、対応標準運転形態と代替助燃運転形態（第四運転区間）とのうち、一方の運転形態を定める。ここでは、運転形態設定部１０２が、運転形態として、代替助燃運転形態（第四運転区間）を定めたとする。代替助燃運転形態（第四運転区間）では、第一ガスタービンユニットＵａ、その助燃装置３７、第二ガスタービンユニットＵｂ、その助燃装置３７、及び蒸気タービン４０が駆動される。この第四運転区間のプラント効率ηは、第三運転区間での最大プラント効率η６から、プラント出力Ｐの増加に伴って徐々に低下し、この第四運転区間での最大プラント出力Ｐ４時に、この第四運転区間での最小プラント効率η７になる。代替助燃運転形態（第四運転区間）でのプラント効率ηの範囲は、対応標準運転形態（代替第四運転区間）でのプラント効率の範囲より高いη６〜η７になる。
【０１１０】
要求出力がＰ４〜Ｐ５（＝１００％）になると、運転形態設定部１０２が、運転形態として標準運転形態を定め、第五運転区間が実行される。この第五運転区間では、いずれの助燃装置３７も駆動されずに、第一ガスタービンユニットＵａ、第二ガスタービンユニットＵｂ、第三ガスタービンユニットＵｃ。及び蒸気タービン４０が駆動される。よって、この第五運転区間は、３基のガスタービンユニットＵの駆動に対して、一基の蒸気タービン４０が駆動する３ｏｎ１運転区間である。この第五運転区間でのプラント効率ηは、プラント出力Ｐの増加に伴って増加する。この第五運転区間での最大プラント出力Ｐ５（＝１００％）時におけるプラント効率ηは、この第五運転区間での最大プラント効率η８である。なお、第五運転区間での最大プラント出力Ｐ５は、本実施形態のプラントにおけるプラント最大出力である。
【０１１１】
以上のように、本実施形態でも、第一実施形態と同様、代替助燃運転形態、つまり第二運転区間及び／又は第四運転区間を実行することで、標準運転形態のみを実行した場合のプラント効率ηよりも、プラント効率ηを高めることができる。
【０１１２】
ところで、第一実施形態のコンバインドサイクルプラントは、二基のガスタービンユニットＵに対して一基の蒸気タービン４０を備える２オン１タイプのコンバインドサイクルプラントである。一方、本実施形態のコンバインドサイクルプラントは、三基のガスタービンユニットＵに対して一基の蒸気タービン４０を備える３オン１タイプのコンバインドサイクルプラントである。このため、一基の蒸気タービン４０に対して、三基以上のガスタービンユニットＵを設けてもよい。
【０１１３】
「第三実施形態」
次に、図８を参照して、本発明に係るコンバインドサイクルプラントの第三実施形態について説明する。
【０１１４】
本実施形態のコンバインドサイクルプラントは、三基のガスタービンユニットＵｘと、三基の蒸気タービン４０と、三基の復水器４４と、制御装置１００と、を備える。
【０１１５】
三基のガスタービンユニットＵｘは、第一実施形態のガスタービンユニットＵと同様、一基のガスタービン１０と、このガスタービン１０からの排気ガスの熱を利用して蒸気を発生する一基のＨＲＳＧ３０と、ガスタービン１０の駆動で発電する一基の発電機２５ｘと、を有する。
【０１１６】
三基のガスタービンユニットＵｘのそれぞれのＨＲＳＧ３０は、いずれも、第一実施形態のＨＲＳＧ３０と同様、蒸気発生器枠３１と、伝熱管３２と、を有する。各ＨＲＳＧ３０には、第一実施形態のＨＲＳＧ３０と同様、助燃装置３７が設けられている。
【０１１７】
本実施形態のコンバインドサイクルプラントでは、三基のガスタービンユニットＵｘのそれぞれに対して、一基の蒸気タービン４０が設けられている。すなわち、本実施形態のコンバインドサイクルプラントは、一基のガスタービン１０に対して一基の蒸気タービン４０が設けられている１オン１タイプのコンバインドサイクルプラントである。また、本実施形態のコンバインドサイクルプラントでは、三基のガスタービンユニットＵｘのそれぞれに対して、一基の復水器４４が設けられている。このため、一基のガスタービンユニットＵｘにおけるＨＲＳＧ３０の蒸気出口３２ｏは、主蒸気ライン５５により、一基の蒸気タービン４０の蒸気入口４２ｉのみに接続されている。また、一基のガスタービンユニットＵｘにおけるＨＲＳＧ３０の水入口３２ｉは、給水ライン５９により、一基の復水器４４のみに接続されている。
【０１１８】
一基の蒸気タービン４０における蒸気タービンロータ４１は、一基のガスタービン１０におけるガスタービンロータ１８に機械的に連結されている。すなわち、本実施形態のコンバインドサイクルプラントは、一軸タイプのコンバインドサイクルプラントである。発電機２５ｘは、蒸気タービンロータ４１又はガスタービンロータ１８に機械的に連結されている。このため、この発電機２５ｘは、ガスタービン１０の単独駆動でも、ガスタービン１０と蒸気タービン４０との駆動でも、発電する。
【０１１９】
制御装置１００は、第一実施形態の制御装置１００と同様に、要求出力受付部１０１と、運転形態設定部１０２と、弁制御部１０３と、を有する。
【０１２０】
運転形態設定部１０２は、複数のガスタービンユニットＵｘのうち、（Ｍ−１）（Ｍは２以上の自然数）基のガスタービンユニットＵｘの助燃バーナ３３に燃料を送る助燃運転形態であって、プラント出力が、Ｍ基のガスタービンユニットＵｘの燃焼器１４に燃料を送る標準運転形態ときのプラント出力と同じになる代替助燃運転形態が実施可能な場合に、運転形態として、代替助燃運転形態を定め得る。
【０１２１】
具体的に、運転形態設定部１０２は、１基のガスタービンユニットＵｘの助燃バーナ３３に燃料を送る助燃運転形態であって、プラント出力が、２基のガスタービンユニットＵｘの燃焼器１４に燃料を送る標準運転形態ときのプラント出力と同じになる代替助燃運転形態が実施可能な場合に、運転形態として、代替助燃運転形態を定め得る。さらに、運転形態設定部１０２は、２基のガスタービンユニットＵｘの助燃バーナ３３に燃料を送る助燃運転形態であって、プラント出力が、３基のガスタービンユニットＵｘの燃焼器１４に燃料を送る標準運転形態ときのプラント出力と同じになる代替助燃運転形態が実施可能な場合に、運転形態として、代替助燃運転形態を定め得る。
【０１２２】
従って、本実施形態でも、第一実施形態と同様、プラント効率ηを高めることができる。
【０１２３】
ところで、第一実施形態のコンバインドサイクルプラントは、二基のガスタービンユニットＵを備える。一方、第二実施形態及び本実施形態のコンバインドサイクルプラントは、三基のガスタービンユニットＵｘを備える。よって、コンバインドサイクルプラントが備えるガスタービンユニットは、二基以上であれば、何基でもよい。
【０１２４】
また、第一実施形態のコンバインドサイクルプラントは、二基のガスタービン１０に対して一基の蒸気タービン４０が設けられる２オン１タイプのコンバインドサイクルプラントである。また、第二実施形態のコンバインドサイクルプラントは、三基のガスタービン１０に対して一基の蒸気タービン４０が設けられる３オン１タイプのコンバインドサイクルプラントである。一方、本実施形態のコンバインドサイクルプラントは、前述したように、一基のガスタービン１０に対して一基の蒸気タービン４０が設けられている１オン１タイプのコンバインドサイクルプラントである。よって、コンバインドサイクルプラントは、マルチ  オン１タイプでも、１オン１タイプでもよい。
【０１２５】
第一実施形態及び第二実施形態のコンバインドサイクルプラントは、ガスタービンロータ１８と蒸気タービンロータ４１とが機械的に連結されていない多軸タイプのコンバインドサイクルプラントである。一方、本実施形態のコンバインドサイクルプラントは、前述したように、ガスタービンロータ１８と蒸気タービンロータ４１とが機械的に連結されている一軸タイプのコンバインドサイクルプラントである。よって、コンバインドサイクルプラントは、多軸タイプでも一軸タイプでもよい。
【符号の説明】
【０１２６】
Ｕ，Ｕｘ：ガスタービンユニット
Ｕａ：第一ガスタービンユニット
Ｕｂ：第二ガスタービンユニット
Ｕｃ：第三ガスタービンユニット
１０：ガスタービン
１０ａ：第一ガスタービン
１０ｂ：第二ガスタービン
１０ｃ：第三ガスタービン
１１：圧縮機
１２：圧縮機ロータ
１３：圧縮機ケーシング
１４：燃焼器
１５：タービン
１６：タービンロータ
１７：タービンケーシング
１７ｏ：排気口
１８：ガスタービンロータ
２０：主燃料ライン
２１：主燃料弁
２５：ガスタービン発電機
２５ｘ：発電機
３０：ＨＲＳＧ（排熱回収蒸気発生器）
３０ａ：第一ＨＲＳＧ（第一排熱回収蒸気発生器）
３０ｂ：第二ＨＲＳＧ（第二排熱回収蒸気発生器）
３０ｃ：第三ＨＲＳＧ（第三排熱回収蒸気発生器）
３１：蒸気発生器枠
３１ｉ：排気ガス入口
３１ｏ：排気ガス出口
３２：伝熱管
３２ｉ：水入口
３２ｏ：蒸気出口
３３：助燃バーナ
３５：助燃燃料ライン
３６：助燃燃料弁
３９：煙突
４０：蒸気タービン
４１：蒸気タービンロータ
４２：蒸気タービンケーシング
４２ｉ：蒸気入口
４２ｏ：蒸気排気口
４４：復水器
４５：蒸気タービン発電機
５０：主給水ライン
５１：第一給水ライン
５２：第二給水ライン
５３：第三給水ライン
５５：主蒸気ライン
５６：第一蒸気ライン
５７：第二蒸気ライン
５８：第三蒸気ライン
５９：給水ライン
６１：第一給水弁
６２：第二給水弁
６３：第三給水弁
６５：主蒸気弁
６６：第一蒸気弁
６７：第二蒸気弁
６８：第三蒸気弁
１００：制御装置
１０１：要求出力受付部
１０２：運転形態設定部
１０２ａ：表示部
１０２ｂ：運転形態受付部
１０２ｃ：運転形態決定部
１０３：弁制御部
１０４：制御部
【図１】
2020079564.tif 000003
【図２】
2020079564.tif 000004
【図３】
2020079564.tif 000005
【図４】
2020079564.tif 000006
【図５】
2020079564.tif 000007
【図６】
2020079564.tif 000008
【図７】
2020079564.tif 000009
【図８】
2020079564.tif 000010